(57)【要約】従来の伸び止め部とは異なる新規な伸び止め部を形成することができるシューズアッパーの編成方法と、その編成方法により得られたシューズアッパーを提供する。着用者の足を覆うベース編地部（１Ｆ）を有するシューズアッパーを編成する。その際、天竺組織の編地で構成される伸び止め部（２０）を編成し、そのウエール方向の一端部をベース編地部（１Ｆ）に接続し、ウエール方向の他端部をベース編地部（１Ｆ）に接続しない。一端部が固定され、他端部が固定されない伸び止め部（２０）は、筒状にカールする。カールした伸び止め部（２０）は、他の部分よりも厚くなっているため、シューズアッパーの伸びを抑制する。
2016104029.tif 000002
【特許請求の範囲】
【請求項１】
前後に対向する前針床および後針床を備える横編機を用いて、着用者の足を覆うベース編地部を有するシューズアッパーを編成するシューズアッパーの編成方法において、
下記編成Ｉまたは編成ＩＩを行うことで、天竺組織の編地で構成され、そのウエール方向の一端部が前記ベース編地部に編成によって接続され、ウエール方向の他端部が前記ベース編地部に接続されずにカールする伸び止め部を編成するシューズアッパーの編成方法。
編成Ｉは、前記ベース編地部のうち、前記伸び止め部が形成される形成領域の編目が一方の針床にのみ係止された状態で、他方の針床に前記伸び止め部の編出し部を編成する工程α１と、前記編出し部のウエール方向に連続する複数段の新規編目列を編成する工程α２と、最終段の新規編目列を前記形成領域の前記ベース編地部の編目に接続する工程α３と、を行う。
編成ＩＩは、前記ベース編地部のうち、前記伸び止め部が形成される形成領域の編目が一方の針床にのみ係止された状態で、他方の針床に前記ベース編地部から分岐させた分岐編目列を編成する工程β１と、前記分岐編目列のウエール方向に連続する複数段の新規編目列を編成する工程β２と、最終段の新規編目列を伏目処理する工程β３と、を行う。
【請求項２】
前記シューズアッパーを履き口側からソール側に向かって編成すると共に、前記伸び止め部を前記編成Ｉで編成する、あるいは
前記シューズアッパーをソール側から履き口側に向かって編成すると共に、前記伸び止め部を前記編成ＩＩで編成する請求項１に記載のシューズアッパーの編成方法。
【請求項３】
下記工程γ１〜工程γ３を行うことで、前記伸び止め部のカール形状の外周面に巻き付いて、前記伸び止め部のカール形状を保つ保持編目を編成する請求項１または請求項２に記載のシューズアッパーの編成方法。
前記伸び止め部を編成する前に、前記形成領域の前記ベース編地部の少なくとも一部の編目のウエール方向に連続する前記保持編目を編成する工程γ１。
前記保持編目のみが前記他方の針床に係止された状態とし、前記編成Ｉまたは前記編成ＩＩの手順に従って、前記他方の針床で前記伸び止め部を編成する工程γ２。
前記保持編目を前記ベース編地部に接続する工程γ３。
【請求項４】
着用者の足を覆うベース編地部を有するシューズアッパーにおいて、
前記ベース編地部に一体に形成される伸び止め部を備え、
前記伸び止め部は、天竺組織の編地で構成され、そのウエール方向の一端部が前記ベース編地部に編成によって接続され、ウエール方向の他端部が前記ベース編地部に接続されずにカールしているシューズアッパー。
【請求項５】
前記ベース編地部の編目のウエール方向に連続して編成され、カールしている前記伸び止め部のカール形状の外周面に巻き付いた状態で前記ベース編地部に繋げられる保持編目を備え、
前記保持編目によって、前記伸び止め部のカール形状が保持されている請求項４に記載のシューズアッパー。
【発明の詳細な説明】
【技術分野】
【０００１】
本発明は、伸び止め部を形成するシューズアッパーの編成方法、および伸び止め部を備えるシューズアッパーに関する。
【背景技術】
【０００２】
シューズは、着用者の足裏を覆うソールカバーと、着用者の甲側の部分を覆うインステップカバーと、で構成されるシューズアッパーを備える。外履きのシューズでは、このシューズアッパーのソールカバーに、合成樹脂などでできたアウターソールが取り付けられる。近年、シューズアッパーを構成するインステップカバーとソールカバーのうち、インステップカバーを一枚の編地で構成し、生産性良くシューズを作製することが試みられている。例えば、特許文献１では、平面展開された状態のインステップカバーを一枚の編地で作製し、それをソールカバーと共に合成樹脂などでできたアウターソールに接合することで、シューズを完成させている。【０００３】
上記シューズアッパーは、熱融着糸と非熱融着糸とを含む編糸で編成され、編成後に熱処理を施すことで成形される。その結果、シューズアッパーを構成する編目の形状、即ちシューズアッパーの形状が崩れ難くなる。このようなシューズアッパーには、特に強度が要求される箇所が幾つか存在する。例えば、特許文献１では、靴紐を通す鳩目孔（ｅｙｅｌｅｔ）の近傍からインステップカバーの側面にかけての部分にインレイ編糸を編み込んだ伸び止め部を形成し、当該部分を補強している。
【先行技術文献】
【特許文献】
【０００４】
【特許文献１】国際公開ＷＯ２０１２／１２５４７３号公報
【発明の概要】
【発明が解決しようとする課題】
【０００５】
インレイ編糸を利用してシューズアッパーに伸び止め部を形成した場合、インレイ編糸の一部がシューズアッパーの表面に見える。表面に見えるインレイ編糸は、シューズアッパーの装飾として利用することができる。しかし、近年では消費者のニーズが多様化しており、上記インレイ編糸による装飾を好まない消費者もいる。そのため、従来の伸び止め部とは異なる新規な伸び止め部を形成することができるシューズアッパーの編成方法、およびその編成方法で得られたシューズアッパーが求められている。【０００６】
本発明は上記事情に鑑みてなされたもので、その目的の一つは、従来の伸び止め部とは異なる新規な伸び止め部を形成することができるシューズアッパーの編成方法を提供することにある。また、本発明の別の目的は、従来の伸び止め部とは異なる新規な伸び止め部を有するシューズアッパーを提供することにある。
【課題を解決するための手段】
【０００７】
本発明のシューズアッパーの編成方法は、前後に対向する前針床および後針床を備える横編機を用いて、着用者の足を覆うベース編地部を有するシューズアッパーを編成するシューズアッパーの編成方法である。このシューズアッパーの編成方法では、下記編成Ｉまたは編成ＩＩを行うことで、天竺組織の編地で構成され、そのウエール方向の一端部が前記ベース編地部に編成によって接続され、ウエール方向の他端部が前記ベース編地部に接続されずにカールする伸び止め部を編成する。
［編成Ｉ］…前記ベース編地部のうち、前記伸び止め部が形成される形成領域の編目が一方の針床に係止された状態で、他方の針床に前記伸び止め部の編出し部を編成する工程α１と、前記編出し部のウエール方向に連続する複数段の新規編目列を編成する工程α２と、最終段の新規編目列を前記形成領域の前記ベース編地部の編目に接続する工程α３と、を行う。
［編成ＩＩ］…前記ベース編地部のうち、前記伸び止め部が形成される形成領域の編目が一方の針床にのみ係止された状態で、他方の針床に前記ベース編地部から分岐させた分岐編目列を編成する工程β１と、前記分岐編目列のウエール方向に連続する複数段の新規編目列を編成する工程β２と、最終段の新規編目列を伏目処理する工程β３と、を行う。【０００８】
本発明のシューズアッパーの編成方法として、［手順１］前記シューズアッパーを履き口側からソール側に向かって編成すると共に、前記伸び止め部を前記編成Ｉで編成する、あるいは［手順２］前記シューズアッパーをソール側から履き口側に向かって編成すると共に、前記伸び止め部を前記編成ＩＩで編成する形態が挙げられる。【０００９】
本発明のシューズアッパーの編成方法として、下記工程γ１〜工程γ３を行うことで、前記伸び止め部のカール形状の外周面に巻き付いて、前記伸び止め部のカール形状を保つ保持編目を編成する形態を挙げることができる。
［工程γ１］…前記伸び止め部を編成する前に、前記形成領域の前記ベース編地部の少なくとも一部の編目のウエール方向に連続する前記保持編目を編成する。
［工程γ２］…前記保持編目のみが前記他方の針床に係止された状態とし、前記編成Ｉまたは前記編成ＩＩの手順に従って前記他方の針床で前記伸び止め部を形成する。
［工程γ３］…前記保持編目を前記ベース編地部に接続する。【００１０】
本発明のシューズアッパーは、着用者の足を覆うベース編地部を有するシューズアッパーである。このシューズアッパーは、前記ベース編地部に一体に形成される伸び止め部を備える。前記伸び止め部は、天竺組織の編地で構成され、そのウエール方向の一端部が前記ベース編地部に編成によって接続され、ウエール方向の他端部が前記ベース編地部に接続されずにカールしている。【００１１】
本発明のシューズアッパーとして、前記ベース編地部の編目のウエール方向に連続して編成され、カールしている前記伸び止め部のカール形状の外周面に巻き付いた状態で前記ベース編地部に繋げられる保持編目を備え、前記保持編目によって、前記伸び止め部のカール形状が保持されている形態を挙げることができる。
【発明の効果】
【００１２】
本発明のシューズアッパーの編成方法によれば、カールした天竺組織の編地で構成される伸び止め部を備える本発明のシューズアッパーを編成することができる。天竺組織の編地はそのウエール方向端部がカールする特性を持っており、そのため、天竺組織で構成される伸び止め部のうち、ベース編地部に固定されていない側は必然的にカールする。天竺組織の編地がカールすることで形成される伸び止め部は、他の部分よりも厚くなっているため、シューズアッパーの伸びを効果的に抑制することができる。また、厚みのある伸び止め部は、シューズアッパーを補強し、シューズアッパーの全体形状を立体的に保持する骨組みの役割を果たす。加えて、厚みのある伸び止め部は、シューズアッパーの他の部分から浮き上がり、シューズアッパーの装飾としての役割も果たす。【００１３】
上記［手順１］あるいは［手順２］を行う本発明のシューズアッパーの編成方法によれば、伸び止め部がカールする方向がシューズアッパーの下方側となるように伸び止め部を編成することができる。シューズアッパーの下方側にカールする伸び止め部であれば、カール形状が解け難いし、カールした伸び止め部の内部にゴミが溜まり難い。また、後述する実施形態に記載されるように、シューズアッパーの履き口に伸び止め部を形成する場合、伸び止め部がカールする方向が下方側となっていれば、カールした伸び止め部が履き口の内部に入り込むことを防止することができ、伸び止め部がシューズアッパーの着用の邪魔とならない。【００１４】
伸び止め部を外周から押さえる保持編目を編成するシューズアッパーの編成方法によれば、保持編目によって伸び止め部のカール形状が保持されたシューズアッパーを編成することができる。
【図面の簡単な説明】
【００１５】
【図１】実施形態１のシューズアッパーの概略斜視図である。
【図２】（Ａ）は、実施形態１のシューズアッパーに備わる伸び止め部の概略図、（Ｂ）は、（Ａ）の伸び止め部がカールした状態を示す概略図である。
【図３】実施形態１のシューズアッパーの編成手順を模式的に示す編成イメージ図である。
【図４】実施形態１のシューズアッパーに備わる伸び止め部の編成工程図である。
【図５】（Ａ）は、実施形態３に示す伸び止め部と保持編目の概略図、（Ｂ）は、Ｂ−Ｂ断面図である。
【図６】実施形態３に示す保持編目の編成工程図である。
【発明を実施するための形態】
【００１６】
以下、本発明のシューズアッパーとその編成方法の実施形態を図面に基づいて説明する。実施形態では、左右方向に延び、かつ、前後方向に互いに対向する前針床（以下、ＦＢ）と後針床（以下、ＢＢ）、および編糸を給糸する給糸口を備え、ＢＢが左右にラッキング可能で、かつ編目の目移しを行うことができる２枚ベッド横編機を用いた編成例を説明する。もちろん、使用する横編機は、２枚ベッド横編機に限定されるわけではなく、例えば４枚ベッド横編機であっても構わない。
【００１７】
＜実施形態１＞
≪全体構成≫
図１に示すシューズアッパー１は、足の甲側の部分を覆うインステップカバー２と、足裏を覆うソールカバー３と、で構成されており、横編機によって無縫製で編成されている。インステップカバー２とソールカバー３はいずれも、着用者の足を覆うベース編地部である。なお、ソールカバー３は、インステップカバー２と別に用意したものをインステップカバー２に一体化しても良い。
【００１８】
上記インステップカバー２（ベース編地部）には、履き口５の縁部を含む環状の伸び止め部２０が形成されている。伸び止め部２０は、シューズアッパー１の伸びを抑制する機能、およびシューズアッパー１の立体形状を保持する骨組みとしての機能を持ち、かつシューズアッパー１を装飾する。ここで、以降の説明では、インステップカバー２のうち、伸び止め部２０よりも上側の部分を甲部２１、下側の部分を側部２２と呼ぶ。
【００１９】
≪伸び止め部≫
図１に示す伸び止め部２０のうち、丸で囲った部分を例にして伸び止め部２０の構成を図２に基づいて説明する。図２では、紙面上側が履き口５側、紙面下側がソールカバー３側である。
【００２０】
図２（Ａ）に示すように、伸び止め部２０は、ベース編地部１Ｆ（図１の側部２２の左側部分）に接続された平面状の編地である。ベース編地部１Ｆと伸び止め部２０は、後述する編成方法に従って編成されており、ベース編地部１Ｆの編成方向（編目の向き）は紙面下向き、伸び止め部２０の編成方向（編目の向き）は紙面上向きとなっている（各部の編成方向は白抜き矢印で示す）。伸び止め部２０は、そのウエール方向の始端部２０ｓがベース編地部１Ｆに繋がっておらず、ウエール方向の終端部２０ｅがベース編地部１Ｆに編成によって繋がっている。
【００２１】
本例の伸び止め部２０は、天竺組織の編地であって、図２（Ａ）の紙面手前側から見たときに裏目となる編目で構成されている。天竺組織の編地は、編目の抜ける方向、つまり裏目に見える面が外側になるようにカールする特性がある。そのため、紙面手前側から奥側に抜ける裏目で構成された伸び止め部２０は、図２（Ｂ）に示すように紙面下側にカールする。伸び止め部２０は全体的に丸まった筒状となっており、伸び止め部２０の横断面を見ると、伸び止め部２０を構成する編地が渦巻き状に丸まっている。
【００２２】
ここで、伸び止め部２０の形成位置は、図１に示される位置に限定されるわけではない。例えば、インステップカバー２とソールカバー３との境界部に伸び止め部２０を形成しても良い。その他、図１の二点鎖線で示すインステップカバー２の踵部分にアーチ状に斜め方向に伸びる伸び止め部２０を形成しても良い。アーチの一端がインステップカバー２の右側面に、アーチの他端がインステップカバー２の左側面に配置され、アーチの中間が踵の履き口５寄りの位置に配置された伸び止め部２０は、踵の型崩れを抑制する。
【００２３】
≪シューズアッパーの編成方法≫
上記伸び止め部２０の編成手順の説明をする前に、まずシューズアッパー１の全体的な編成手順を説明する。シューズアッパー１は、例えば、図３に示す手順で編成することができる。図３に示す手順では、シューズアッパー１を針床上で横向きに編成している。この図３には、伸び止め部２０が形成される部分、側部２２、およびソールカバー３については右側部分のみ図示されており、それらの左側部分は右側部分の奥側にある。
【００２４】
図３では、まずＦＢとＢＢに編出し部１ｓを形成する。その編出し部１ｓに続いて、ＦＢ（あるいはＢＢ）を用いてインステップカバー２の甲部２１を編成する。次いで、ＦＢとＢＢを用いてインステップカバー２の側部２２の一部を編成し、伸び止め部２０を編成し、側部２２に接合する。さらに、ＦＢとＢＢを用いた筒状編成や往復編成によってインステップカバー２の側部２２を編成する。そして、ＦＢとＢＢとで別個に往復編成を行って、ソールカバー３の右側部分と左側部分を編成し、最後にそれら右側部分と左側部分とを編成で接続する。
【００２５】
≪伸び止め部の編成≫
図３に示す伸び止め部２０は、図４に示す編成工程図に従って編成することができる。図４の左欄の『アルファベット＋数字』は編成工程の番号を示し、右欄にはＦＢとＢＢにおける編目の形成状態が示されている。各工程で実際に編成を行った部分は太線で示す。また、図中の大文字アルファベットは編針の位置を、二重マークは重ね目を示す。
【００２６】
Ｓ１には、図３の甲部２１の編成が終了した後、ＦＢとＢＢで側部２２の一部を編成した状態が示されている。ＦＢの編針Ａ〜Ｊに係止されるベース編地部１Ｆ（丸マーク）は、側部２２の右側部分に相当し、ＢＢの編針Ａ〜Ｊに係止されるベース編地部１Ｂ（五角形マーク）は、側部２２の左側部分に相当する。ベース編地部１Ｆ，１Ｂを構成する編糸には、ウール糸、弾性糸、あるいは熱融着糸などを利用することができる。特に、ベース編地部１Ｆ，１Ｂは熱融着糸で構成することが好ましい。
【００２７】
ベース編地部１Ｆ，１Ｂの編幅内には空針が形成されておらず、詰んだ編目からなるベース編地部１Ｆ，１Ｂとなっている。この状態から、ベース編地部１Ｆの全幅にわたって伸び止め部２０を形成する。この場合、編針Ａ〜Ｊの全てが、伸び止め部２０の形成領域となる。伸び止め部２０を構成する編糸は特に限定されないが、熱融着糸とすることが好ましい。熱融着糸を用いた伸び止め部２０であれば、熱処理によって伸び止め部２０の強度を向上させることができ、その結果として伸び止め部２０の機能を向上させることができる。
【００２８】
Ｓ２では、ベース編地部１Ｆの一部を編幅方向の左側に移動させ、ベース編地部１Ｆの編幅内に空針を形成する。また、Ｓ３では、ベース編地部１Ｂの一部の編目を編幅方向の右側に移動させ、ベース編地部１Ｂの編幅内に空針を形成する。Ｓ１とＳ２の編目の移動には、編針に編目を一時的に預けておくことができるホールディング機構を用いる。空針の形成は、伸び止め部２０を編成するための準備である。本例では、Ｓ２においてＦＢの編針Ｂ，Ｄ，Ｆ，Ｈ，Ｊに係止される編目を紙面左隣の編目に重ね、Ｓ３においてＢＢの編針Ａ，Ｃ，Ｅ，Ｇ，Ｉに係止される編目を紙面右隣の編目に重ねることで、ＦＢの編針Ｂ，Ｄ，Ｆ，Ｈ，Ｊと、ＢＢの編針Ａ，Ｃ，Ｅ，Ｇ，Ｉと、を空針としている。
【００２９】
Ｓ４では、ＦＢの編針Ａ，Ｃ，Ｅ，Ｇ，Ｉに係止されるベース編地部１Ｆの編目を、ＢＢの編針Ａ，Ｃ，Ｅ，Ｇ，Ｉに目移しする。（工程α１の一部）。この編成によって、伸び止め部２０の形成領域であるＦＢの編針Ａ〜Ｊにはベース編地部１Ｆ，１Ｂの編目が一つもない状態になる。そのため、以降の工程で伸び止め部２０を編成しても、伸び止め部２０がベース編地部１Ｆ，１Ｂに編み込まれることはない。
【００３０】
Ｓ５，Ｓ６では、ＦＢに伸び止め部２０の編出し部、即ち図２に示す伸び止め部２０の始端部２０ｓを編成する（工程α１の一部）。具体的には、Ｓ５では、ＦＢの編針Ａ，Ｅ，Ｉに掛け目を形成し、Ｓ６では、ＦＢの編針Ｃ，Ｇに掛け目を形成するインターロック編成を行うことで、伸び止め部２０の編出し部２０ｓを編成している。
【００３１】
ここで、伸び止め部２０を編成する編糸は、ベース編地部１Ｆの編糸と同じ編糸としても良いし、素材、質感、太さ、あるいは色の異なる編糸としても良い。後者の場合、伸び止め部２０を目立たせることができる。伸び止め部２０の編糸とベース編地部１Ｆの編糸を同じとする場合、伸び止め部２０の編成には、ベース編地部１Ｆの編成に利用した給糸口を利用することもできる。
【００３２】
Ｓ７では、編出し部２０ｓのウエール方向に連続する新規編目列２０ｎを編成する。この新規編目列２０ｎのウエール方向にさらに新規編目列２０ｎを編成することを、所定回繰り返す（工程α２）。繰り返しの回数は、伸び止め部２０の始端部２０ｓから終端部２０ｅまでの長さ（図２の上図参照）をどの程度とするかによって適宜選択することができる。
【００３３】
Ｓ８には、最終段の新規編目列、即ち図２（Ａ）に示す伸び止め部２０の終端部２０ｅがＦＢの編針Ａ，Ｃ，Ｅ，Ｇ，Ｉに係止された状態が示されている。この状態からＳ９では、ＦＢの編針Ａ，Ｃ，Ｅ，Ｇ，Ｉに係止される最終段の新規編目列２０ｅと、Ｓ４でＢＢの編針Ａ，Ｃ，Ｅ，Ｇ，Ｉに預けておいたベース編地部１Ｆの編目と、を重ね合わせる（工程α３の一部）。
【００３４】
Ｓ１０では、Ｓ９で形成した重ね目のウエール方向に続くベース編地部１Ｆの編目を形成し、最終段の新規編目列２０ｅをベース編地部１Ｆの編目に接続する（工程α３の一部）。
【００３５】
シューズアッパー１を履き口５側からソール側に向って編成すると共に、その編成の途中に、図４の編成工程に従って伸び止め部２０を編成することで、図２（Ａ）に示す終端部２０ｅがベース編地部１Ｆに接続された伸び止め部２０を編成することができる。伸び止め部２０は、天竺組織の特性によって、図２（Ｂ）に示すように、自然にソールカバー２側にカールする。
【００３６】
ここで、図４のベース編地部１Ｂに対しても伸び止め部２０を形成することができる。その場合、Ｓ４〜Ｓ１０に示す手順と同様の手順でベース編地部１Ｂに伸び止め部２０を形成することができる。その他、Ｓ１０において、空針の位置に編目を形成し、編幅方向の編目の数を、Ｓ１に示す数と同じに戻しても良い。
【００３７】
＜実施形態２＞
実施形態１では、図４の編成工程図に示すように、ベース編地部１Ｆとは独立して伸び止め部２０を編成し、伸び止め部２０の終端部２０ｅをベース編地部１Ｆに接続する例を説明した。これに対して、ベース編地部１Ｆを分岐させ、伸び止め部２０を編成しても構わない。
【００３８】
図４の編成工程図を利用して伸び止め部２０を分岐させる手順を簡単に説明する。まず、図４のＳ３まで行った後、ＦＢの編針Ａ，Ｃ，Ｅ，Ｇ，Ｉに係止されるベース編地部１Ｆに割増やしを行う。割増やしを行うことで、ＦＢの編針Ａ，Ｃ，Ｅ，Ｇ，Ｉに係止されるベース編地部１Ｆの編目がＢＢの編針Ａ，Ｃ，Ｅ，Ｇ，Ｉに目移しされると共に、ＦＢの編針Ａ，Ｃ，Ｅ，Ｇ，Ｉに分岐編目列が編成される（工程β１に相当）。
【００３９】
ここで、分岐編目列は、割増やしによって形成されるものに限定されるわけではない。例えば、ＦＢの編針Ａ，Ｃ，Ｅ，Ｇ，Ｉに係止されるベース編地部１Ｆの編目をＢＢの編針Ａ，Ｃ，Ｅ，Ｇ，Ｉに目移しした後、ベース編地部１Ｆにタックを行うことと、ＦＢの編針Ａ，Ｃ，Ｅ，Ｇ，Ｉに掛け目を形成することと、を行うことで、掛け目からなる分岐編目列を編成することができる。
【００４０】
分岐編目列を編成したら、その分岐編目列のウエール方向に連続する複数段の新規編目列を編成する（工程β２）。所定の数の新規編目列を編成したら、最終段の新規編目列を伏目処理する（工程β３）。
【００４１】
以上説明した手順によっても、ベース編地部１Ｆの伸びを抑制する伸び止め部２０を編成することができる。
【００４２】
ここで、分岐によって伸び止め部２０を編成する場合、シューズアッパー１はソール側から履き口５側に向って編成することが好ましい。そうすることで、ソールカバー部３側（下方側）に自然とカールする伸び止め部２０を編成することができる。
【００４３】
＜実施形態３＞
実施形態３では、伸び止め部２０のカール形状を保持する保持編目４０を形成したシューズアッパーを図５，６に基づいて説明する。図５（Ａ）の白抜き矢印は、ベース編地部１Ｆの編成方向を示す。
【００４４】
図５（Ａ）、図５（Ｂ）に示すように、保持編目４０は、伸び止め部２０のカール形状の外周面に巻き付いている。黒いアローヘッドで示す保持編目４０のウエール方向の下端（紙面上側）と、白いアローヘッドで示す保持編目４０のウエール方向の上端（紙面下側）と、はベース編地部１Ｆに編成によって接続されている。つまり、カール形状の伸び止め部２０の外周に巻き付いた保持編目４０のウエール方向は、伸び止め部２０の周方向に沿う。この保持編目４０によって、伸び止め部２０のカール形状が解れないように、伸び止め部２０の周方向から伸び止め部２０が抑えられ、伸び止め部２０のカール形状が保持される。
【００４５】
また、図５に示す例では、ベース編地部１Ｆと伸び止め部２０との境界部を縁取る縁取り部４１が形成されている。この縁取り部４１は、保持編目４０を編成する際にベース編地部１Ｆに編み込まれた編目で構成されている。
【００４６】
図５に示す保持編目４０と縁取り部４１は、例えば図６に示す編成工程図に従って編成することができる。図６の見方は、図４と同じである。
【００４７】
Ｔ１には、ＦＢのＡ〜Ｊにベース編地部１Ｆが係止された状態が示されている。Ｔ２では、ＦＢの編針Ｂ，Ｄ，Ｆ，Ｈ，Ｊの編目を、ＦＢの編針Ａ，Ｃ，Ｅ，Ｇ，Ｉに目移し、ＦＢの編針Ｂ，Ｄ，Ｆ，Ｈ，Ｊに空針を形成する。
【００４８】
Ｔ３では、ＦＢの編針Ａ，Ｃ，Ｅ，Ｇ，Ｉに係止されるベース編地部１Ｆの編目のウエール方向に続く編目を編成すると共に、ＦＢの編針Ｂ，Ｄ，Ｈ，ＪとＢＢの編針Ｃ，Ｉに掛け目を形成する。本例では、ＦＢの編針Ａ，Ｅ，Ｇの編目が縁取り部４１の編目に、ＦＢの編針Ｃ，Ｉの編目が保持編目４０となる(工程γ１相当)。
【００４９】
Ｔ４では、Ｔ３で形成した掛け目を針床から外す。掛け目を形成した分だけＦＢの編針Ａ〜Ｊの間にある編糸の長さに余裕ができ、保持編目４０を大きくすることができる。
【００５０】
Ｔ５では、ＦＢの編針Ａ，Ｅ，Ｇに係止される編目を、ＢＢの編針Ａ，Ｅ，Ｇに目移しする。このＴ５によって、ＦＢに保持編目４０のみが係止された状態としてから、Ｔ６では、ＦＢの編針Ａ，Ｅ，Ｇを用いて伸び止め部２０の編成を行う（工程γ２に相当）。伸び止め部２０の編成は、図４のＳ５〜Ｓ８（工程α１，α２に相当）と同様の手順で行うことができる。
【００５１】
Ｔ７では、ＢＢの編針Ａ，Ｅ，Ｇに係止される縁取り部４１の編目を、ＦＢの編針Ａ，Ｅ，Ｇに係止される伸び止め部２０に重ね合わせる。そして、Ｔ８では、ＦＢの編針Ａ〜Ｊにベース編地部１Ｆを形成し、伸び止め部２０をベース編地部１Ｆに接続する（工程α３に相当）と共に、縁取り部４１の編目と保持編目４０をベース編地部１Ｆに接続する（工程γ３に相当）。
【００５２】
以上説明した編成工程に従えば、図５に示すような、伸び止め部２０のカール形状を保持する保持編目４０と、ベース編地部１Ｆと伸び止め部２０との境界部を縁取る縁取り部４１と、を形成することができる。
【００５３】
≪変形例≫
図５に示す縁取り部４１を渡り糸で構成することもできる。また、保持編目４０は、ウエール方向に連続する複数の編目で構成されていても良い。
【００５４】
＜実施形態４＞
実施形態１，２と異なり、伸び止め部２０を備えるシューズアッパーを、踵から爪先に向かって編成する、あるいは爪先から踵に向かって編成することもできる。その場合、シューズアッパーの鉛直方向や斜め方向に伸びる伸び止め部２０をシューズアッパーに形成することもできる。
【符号の説明】
【００５５】
ＦＢ  前針床  ＢＢ  後針床
１  シューズアッパー（編地）  １ｓ  編出し部
２  インステップカバー  ２１  甲部  ２２  側部
３  ソールカバー
１Ｆ，１Ｂ  ベース編地部
２０  伸び止め部
２０ｓ  始端部（編出し部）  ２０ｎ  新規編目列
２０ｅ  終端部（最終段の新規編目列）
４０  保持編目  ４１  縁取り部
５  履き口
【図１】
2016104029.tif 000003
【図２】
2016104029.tif 000004
【図３】
2016104029.tif 000005
【図４】
2016104029.tif 000006
【図５】
2016104029.tif 000007
【図６】
2016104029.tif 000008
【国際調査報告】
2016104029.tif 000009
2016104029.tif 000010
2016104029.tif 000011
2016104029.tif 000012